(57)【要約】【課題】  展示物への取り付けと取り外しが簡単で、表示ラベルの向きを自由に変更して、展示物を目立たせることのできる表示ラベル取付具を提供することを目的とする。【解決手段】  可撓性を有する長方形の薄い金属板からなり、表面にラベル接着部１２と展示物接着部１１とを構成し、前記展示物接着部１１を商品見本２０の表面に貼付し、ラベル接着部１２を表示ラベル３０の裏面に貼付する。そして表示ラベル取付具１０を所望の角度に折り曲げて、前記表示ラベル３０を商品見本２０に対して所定の角度を有して表示させる。【選択図】図３
0003159229.tif 000002
【実用新案登録請求の範囲】
【請求項１】
可撓性を有するプレートよりなり、表面にラベル接着部と展示物接着部を構成し、前記ラベル接着部を表示ラベルに接着可能にすると共に前記展示物接着部を展示物に接着可能にし、
前記プレートを折曲自在にして前記表示ラベルを展示物に対して起伏自在状態にした表示ラベル取付具。
【請求項２】
前記プレートを長方形の金属板、合成樹脂板あるいは紙板によって構成したことを特徴とする請求項１記載の表示ラベル取付具。
【考案の詳細な説明】
【技術分野】
【０００１】
本考案は、商品等の展示物が陳列棚のいかなる位置に配置されても、展示に取り付けた表示ラベルを見やすくして、展示物を目立たせることのできる表示ラベル取付具に関する。
【背景技術】
【０００２】
コンビニエンスストアやスーパーマーケットなどの陳列棚に並べられた商品等の展示物は、消費者の購買意欲を喚起するためにラベルを貼り付けて展示されている。
従来使用されていたラベルは粘着シート上に宣伝文句等を印刷して、商品等に貼着して使用していた。これらはいずれも平面的に用いられていたため商品のアピール効果は少なかった。そのため、アピール効果を高めるために特許文献１に示すような立体型ラベルが提案されていた。
【先行技術文献】
【特許文献】
【０００３】
【特許文献１】特開２０００−２７６０４８号公報
【０００４】
特許文献１記載の発明は、表示部（１６）を有するシート状のラベル（１１）の一部に切り込み線（１４）を穿設して帯状のアーム部（１２）を形成し、前記アーム部（１２）を折り曲げて前記表示部（１６）を３次元の立体表示ができるようにし、前記アーム部（１２）の先端に粘着層（１５）を設け、各種商品に貼着できるようにしたアテンションラベルである。
この発明によれば、従来のシート状のラベルを打ち抜き一体成型加工することによって容易に３次元表示の立体ラベルが得られる等の効果を奏する。
【０００５】
しかしながら上記発明によれば、予め宣伝内容などを印刷したシート状のラベルを打ち抜いて一体成型加工しなくてはならず、製作に手間がかかる上に、アーム部（１２）の先端の粘着層（１５）で商品に貼着するため商品に確実に固定することができず、不安定になりやすいなどの問題点があった。またラベル（１１）の角度を安定した状態で変更することができなかった。
【考案の概要】
【考案が解決しようとする課題】
【０００６】
本考案は、商品や商品見本等の展示物への取り付けと取り外しが簡単に行え、表示ラベルの向きを自由に変更してその状態を安定して保ち、展示物を目立たせることのできる表示ラベル取付具を提供することを目的とする。
【課題を解決するための手段】
【０００７】
本考案は、可撓性を有するプレートよりなり、表面にラベル接着部と展示物接着部を構成し、前記ラベル接着部を表示ラベルに接着可能にすると共に前記展示物接着部を展示物に接着可能にし、前記プレートを折曲自在にして前記表示ラベルを展示物に対して起伏自在状態にした表示ラベル取付具である。
【０００８】
本考案は、前記プレートを長方形の金属板、合成樹脂板あるいは紙板によって構成した表示ラベル取付具である。
【考案の効果】
【０００９】
本考案は、簡単な構成であり、表示ラベルの取り付け位置や角度を自由に変更でき、取り付け状態を安定して保つことができるため、表示ラベルを確実に看者の最も見やすい位置に向けることができる。そのため薬、玩具等の商品を目立たせることができ、宣伝広告媒体として優れた効果を発揮する。
また、展示物に予め取り付けることができるため、販売現場で展示物への表示ラベルの取り付け作業を行う手間が省ける。
【００１０】
前記プレートを長方形の金属板、合成樹脂板あるいは紙板によって構成した場合は、製作が容易となり、展示物への取り付け及び取り外しもさらに簡単にできるのである。
【図面の簡単な説明】
【００１１】
【図１】表示ラベル取付具の取り付け状態を示す説明図（Ａ）と表示ラベル取付具の正面図（Ｂ）
【図２】表示ラベル取付具の使用状態を示す正面斜視図
【図３】表示ラベル取付具の使用状態を示す背面斜視図
【図４】表示ラベル取付具の使用状態を示す側面図
【図５】表示ラベル取付具の使用状態を示す側面図
【図６】表示ラベル取付具の使用状態を示す正面図
【考案を実施するための形態】
【００１２】
表示ラベル取付具は、可撓性を有する長方形の薄い金属板からなり、表面にラベル接着部と展示物接着部を構成し、前記ラベル接着部を表示ラベルの裏面に接着し、展示物接着部を展示物である商品見本の表面に接着する。そして表示ラベル取付具を所望の角度に折り曲げて、表示ラベルを展示物に対して所定の角度を有して表示させるものである。
以下、本考案の一実施形態を図に基づいて説明する。
【００１３】
図１に示すように、表示ラベル取付具１０は、長さ２０〜３０ｍｍ、幅５〜１０ｍｍ程度の薄い金属片であり、可撓姓を有するため任意の角度に自由に折り曲げることができ、かつ折り曲げた状態を安定して保つことができる。本実施形態では金属片としてアルミニウムを使用したが、材質、大きさなどはこれに限定されず、他の金属あるいは合成樹脂または紙も使用できる。
【００１４】
前記表示ラベル取付具１０の表面に接着剤を塗布して、下部に展示物接着部１１と上部にラベル接着部１２を構成する。この展示物接着部１１とラベル接着部１２は、接着剤の塗布以外にも両面テープを使用したりする公知の方法で作成でき、またその大きさや位置も適宜決定できる。
本実施形態では、表示ラベル取付具１０は展示物である商品見本２０に対して着脱自在に接着されているため、取り付け及び取り外しが容易にできる。また表示ラベル取付具１０は、商品見本に限らず商品に直接接着しても良い。
【００１５】
上記のように作成した表示ラベル取付具１０を用いて表示ラベル３０を商品見本２０に取り付ける場合を説明する。
まず図１（Ａ）に示すように、一定角度に折り曲げた表示ラベル取付具１０のラベル接着部１２に表示ラベル３０の裏面を接着する。その後、図２、図３に示すように展示物接着部１１を商品見本２０の上面２１に接着して、表示ラベル３０を商品見本２０に取り付ける。
このとき、必要に応じ表示ラベル３０の下端縁３１を商品見本２０の前面に接着して表示ラベル３０を安定させる。
これによって表示ラベル３０は、商品見本２０の上面２１に一定角度を有して安定して表示される。
【００１６】
表示ラベル取付具１０は自由に折り曲げることができるため、表示ラベル３０は、商品見本２０の上面２１に対して起伏自在に、すなわち希望する任意の角度に変更可能に取り付けられているのである。
【００１７】
商品見本２０を運搬する際には、あらかじめ表示ラベル３０を商品見本２０の上面２１に接着した状態で運搬できる。この場合、表示ラベル３０を上面２１表面に倒して、その上に別の商品見本２０を重ねることができる。これによって販売現場で表示ラベル３０を商品見本２０へ取り付ける作業が省ける。
【００１８】
展示に際し、商品見本２０を上方の棚に置く場合は、消費者は表示ラベル３０を下から見上げることになるから、図４に示すように、表示ラベル取付具１０を商品見本２０の前方側（図４左側）に折り曲げて、表示ラベル３０を下方から見易いようにする。
【００１９】
これとは逆に、商品見本２０を下方の棚に置く場合は、図５に示すように表示ラベル取付具１０を商品見本２０の後方側（図５右側）に折り曲げて、表示ラベル３０を上方から見易いようにする。
【００２０】
さらに、図６に示すように、本実施形態の表示ラベル取付具１０は、商品見本２０の側面板２３に取り付けることもできる。この場合は表示ラベル３０の先端縁３１は、商品見本２０の前面２２に接着する。
この場合も表示ラベル取付具１０を任意の角度曲げることで、表示ラベル３０を横方向から見易くできるのである。
【産業上の利用可能性】
【００２１】
商品や商品見本の表面に取り付けた表示ラベル取付具によって、表示ラベルをどこからでも見やすくできるため、商品の販売促進に貢献する。
【符号の説明】
【００２２】
１０  表示ラベル取付具
１１  展示物接着部
１２  ラベル接着部
２０  商品見本（展示物）  
３０  表示ラベル
【図１】
0003159229.tif 000003
【図２】
0003159229.tif 000004
【図３】
0003159229.tif 000005
【図４】
0003159229.tif 000006
【図５】
0003159229.tif 000007
【図６】
0003159229.tif 000008